(57)【要約】【課題】口腔内を傷つけることを抑制しつつ、口腔内を良好にケアできる口腔内清掃用具を提供することを目的とする。【解決手段】棒状のハンドル本体１０と、ハンドル本体１０の先端から突出する刷掃体１２と、刷掃体１２と接続された第１の導電性部材１４と、ハンドル本体１０の側面に露出する第２の導電性部材１６と、電源２０とを備え、刷掃体１２は、イオンを含む溶液が含浸され、かつ該溶液が含浸された状態でイオンが先端まで移動可能な多孔質体であり、第１の導電性部材１４は刷掃体１２の先端面１２ａより下方に位置し、第１の導電性部材１４には電源２０の負極が接続され、第２の導電性部材１６には電源２０の正極が接続されている、口腔内清掃用具１。【選択図】図１
2017042550.tif 000002
【特許請求の範囲】
【請求項１】
棒状のハンドル本体と、前記ハンドル本体の先端から突出する刷掃体と、前記刷掃体と接続された第１の導電性部材と、前記ハンドル本体の側面に露出する第２の導電性部材と、電源と、を備え、
前記第１の導電性部材は前記刷掃体の先端面より下方に位置し、
前記第１の導電性部材には前記電源の第１の電極が接続され、前記第２の導電性部材には前記電源の第２の電極が接続され、
前記刷掃体は、多孔質であり、イオンを含む溶液を含浸させ、前記第２の導電性部材を介して通電したときに刷掃体先端までイオンが移動する、口腔内清掃用具。
【請求項２】
前記ハンドル本体内に偏心モータが備えられている、請求項１に記載の口腔内清掃用具。
【請求項３】
前記ハンドル本体が、棒状の把持部と、前記把持部の先端に突設された棒状の駆動部とを備え、
前記駆動部は前記把持部の軸線方向に対して傾斜しており、
前記刷掃体の先端面は前記把持部の軸線方向に対して、前記駆動部が傾斜している方向に傾斜しており、
前記駆動部内に前記偏心モータが備えられ、
前記偏心モータの回転軸と前記刷掃体の先端面とのなす角度θが、２０°≦θ≦９０°である、請求項２に記載の口腔内清掃用具。
【請求項４】
前記ハンドル本体の先端部には、前記刷掃体が嵌め込まれる刷掃体嵌合部が形成され、
前記刷掃体嵌合部は、前記刷掃体の外側に位置する外壁と、前記外壁の内面から突出し、前記刷掃体を支持する複数の支持突起とを備え、
前記の複数の支持突起は、前記先端部の軸周りに間隔を開けて形成されている、請求項１〜３のいずれか一項に記載の口腔内清掃用具。
【請求項５】
前記のイオンを含む溶液が、縮合リン酸、フッ化化合物、乳酸アルミニウム及びアスコルビン酸ナトリウムからなる群から選ばれる少なくとも１種のアニオン性の薬用成分を含む薬液である、請求項１〜４のいずれか一項に記載の口腔内清掃用具。
【発明の詳細な説明】
【技術分野】
【０００１】
本発明は、口腔内清掃用具に関する。
【背景技術】
【０００２】
茶、タバコのヤニ等による歯の着色汚れ（ステイン）を除去する技術としては、清掃性の高い研磨剤の使用や、過酸化物による白色化、キレート剤による鉄イオンの除去等が知られている。特に、キレート剤配合によるステイン除去が主流である。しかし、キレート剤等を配合する方法は薬事的に配合上限が存在するため、ステインの除去効果は不十分である。
【０００３】
口腔内のケアの効率を高めた口腔内清掃用具としては、イオンを利用するものが知られている。例えば、ケースの先端に設けられたシリコンゴム製の棒状の研磨部材と、前記研磨部材に挿通され、先端が前記研磨部材の先端面から露出する電極棒と、ケースの外面に露出するアース板と、を備える歯清掃用具が提案されている（例えば、特許文献１）。
【０００４】
該歯清掃用具においては、電極棒が直流電源の負極と電気的に接続され、アース板が該直流電源の正極と電気的に接続される。そして、アース板に触れるようにケースを握り、研磨部材を口腔内に挿入して電極棒の先端に唾液等が接触したときに、アース板と電極棒との間に人体を介して微弱電流が流れる。これにより、歯面にアニオンが供給され、該アニオンによって歯の汚れが電気的に分解されて剥離しやすくなることで、汚れの除去効果が向上する。
しかし、特許文献１のような歯清掃用具では、電極棒が歯面に接触するために歯面が傷付くおそれがある。
【先行技術文献】
【特許文献】
【０００５】
【特許文献１】特開２０１４−１００４２４号公報
【発明の概要】
【発明が解決しようとする課題】
【０００６】
本発明は、口腔内を傷つけることを抑制しつつ、口腔内を良好にケアできる口腔内清掃用具を提供することを目的とする。
【課題を解決するための手段】
【０００７】
本発明は、以下の構成を有する。
［１］棒状のハンドル本体と、前記ハンドル本体の先端から突出する刷掃体と、前記刷掃体と接続された第１の導電性部材と、前記ハンドル本体の側面に露出する第２の導電性部材と、電源と、を備え、
前記第１の導電性部材は前記刷掃体の先端面より下方に位置し、
前記第１の導電性部材には前記電源の第１の電極が接続され、前記第２の導電性部材には前記電源の第２の電極が接続され、
前記刷掃体は、多孔質であり、イオンを含む溶液を含浸させ、前記第２の導電性部材を介して通電したときに刷掃体先端までイオンが移動する、口腔内清掃用具。
［２］前記ハンドル本体内に偏心モータが備えられている、［１］に記載の口腔内清掃用具。
［３］前記ハンドル本体が、棒状の把持部と、前記把持部の先端に突設された棒状の駆動部とを備え、前記駆動部は前記把持部の軸線方向に対して傾斜しており、前記刷掃体の先端面は前記把持部の軸線方向に対して、前記駆動部が傾斜している方向に傾斜しており、前記駆動部内に前記偏心モータが備えられ、前記偏心モータの回転軸と前記刷掃体の先端面とのなす角度θが、２０°≦θ≦９０°である、［２］に記載の口腔内清掃用具。
［４］前記ハンドル本体の先端部には、前記刷掃体が嵌め込まれる刷掃体嵌合部が形成され、前記刷掃体嵌合部は、前記刷掃体の外側に位置する外壁と、前記外壁の内面から突出し、前記刷掃体を支持する複数の支持突起とを備え、前記の複数の支持突起は、前記先端部の軸周りに間隔を開けて形成されている、［１］〜［３］のいずれかに記載の口腔内清掃用具。
［５］前記のイオンを含む溶液が、縮合リン酸、フッ化化合物、乳酸アルミニウム及びアスコルビン酸ナトリウムからなる群から選ばれる少なくとも１種のアニオン性の薬用成分を含む薬液である、［１］〜［４］のいずれかに記載の口腔内清掃用具。
【０００８】
また、本発明の口腔内清掃用具においては、棒状の第１の導電性部材の先端部が刷掃体の下端部に挿入され、かつ該第１の導電性部材が刷掃体の先端面に露出しないようにすることが好ましい。
【発明の効果】
【０００９】
本発明の口腔内清掃用具を用いれば、口腔内を傷つけることを抑制しつつ、口腔内を良好にケアすることができる。
【図面の簡単な説明】
【００１０】
【図１】本発明の口腔内清掃用具の一例を示した概略図である。
【図２】図１の口腔内清掃用具のＡ−Ａ断面図である。
【図３】図２の口腔内清掃用具のＢ−Ｂ断面図である。
【図４】本発明の口腔内清掃用具の他の例を示した概略図である。
【図５】本発明の口腔内清掃用具における刷掃体嵌合部の他の例を示した断面図である。
【図６】本発明の口腔内清掃用具の他の例を示した図であって、図６（Ａ）は第１の導電性部材の斜視図であり、図６（Ｂ）は刷掃体嵌合部の近傍を示した断面図である。
【発明を実施するための形態】
【００１１】
以下、本発明の口腔内清掃用具の一例を示して説明する。
本実施形態の口腔内清掃用具１は、図１〜３に示すように、棒状のハンドル本体１０と、刷掃体１２と、第１の導電性部材１４と、第２の導電性部材１６と、偏心モータ１８と、電源２０と、スイッチ２２と、を備えている。
【００１２】
ハンドル本体１０は、棒状の把持部２４と、把持部２４の先端に突設された棒状の駆動部２６と、駆動部２６の先端に設けられた刷掃体嵌合部２８と、を備えている。
【００１３】
把持部２４は、使用時に手で握られる部分であり、棒状になっている。
把持部における軸線方向（長さ方向）に垂直な断面形状は、特に限定されず、例えば、円形状、矩形の角部が丸く切り欠かれた形状、矩形状等が挙げられる。
把持部の太さ及び長さは、口腔内清掃用具を使用する対象者に応じて適宜設計できる。
【００１４】
駆動部２６は、把持部２４の先端に突設されている。口腔内清掃用具１は把持部２４と駆動部２６の境界部分で屈曲しており、駆動部２６が把持部２４の軸線方向Ｐに対して傾斜している。口腔内清掃用具１においては、駆動部２６が傾斜している側が前方である。
このように、駆動部２６は把持部２４の軸線方向Ｐに対して前方に傾斜している。
【００１５】
駆動部２６における軸線方向Ｑ（長さ方向）に垂直な断面形状は、円形状である。また、この例の駆動部２６は、先端に向かうにつれて窄まった形状になっている。なお、駆動部における軸線方向（長さ方向）に垂直な断面形状は、円形状には限定されず、例えば、矩形の角部が丸く切り欠かれた形状、矩形状等であってもよい。
駆動部の太さ及び長さは、口腔内清掃用具を使用する対象者に応じて適宜設計できる。
【００１６】
把持部２４の軸線方向Ｐと駆動部２６の軸線方向Ｑとがなす角度φ（図１）は、１４０°≦φ≦１８０°が好ましく、１５０°≦φ≦１７０°がより好ましい。角度φが前記範囲内であれば、刷掃体１２の先端面１２ａを歯面に擦りつけて清掃する際に偏心モータによる振動の利用効率が高くなるため、歯面の汚れをより効率良く除去することができる。
【００１７】
刷掃体嵌合部２８は、刷掃体１２が嵌め込まれる部分である。刷掃体嵌合部２８は、駆動部２６の先端、すなわちハンドル本体１０の先端部に形成されている。
刷掃体嵌合部２８は、図２及び図３に示すように、駆動部２６の先端面における平面視での中心部から突出する平面視円形状の凸部３０と、駆動部２６の先端面における平面視での外縁から立設された外壁３２と、外壁３２の内面における高さ方向の中央部から下端にかけた部分から突出する支持突起３４とを備えている。
【００１８】
この例では、凸部３０は平面視形状が円形状であり、後述する刷掃体１２の底面と形状及び大きさがほぼ同じになっている。
外壁３２は、嵌め込まれた刷掃体１２の外側に位置する部分であり、平面視形状が円弧状の３つの外壁部分３２ａを有する。円筒状の外壁に、軸周りに等間隔に３つのスリット状の切欠部３６が形成されることで、これら３つの外壁部分３２ａが形成されている。切欠部３６の形状は、特に限定されず、高さ方向に幅が均等な形状であってもよく、駆動部２６に近づくにつれて幅が狭くなる形状であってもよい。
【００１９】
支持突起３４は、各々の外壁部分３２ａの内面における高さ方向の中央部から下端にかけた部分から突出するように３つ設けられている。このように、３つの支持突起３４は、ハンドル本体１０の先端部の軸周りに間隔を開けて形成されている。支持突起３４の上面は、凸部３０の上面よりも上方に位置している。
支持突起３４の形状は、特に限定されず、高さ方向に幅が均等な形状であってもよく、駆動部２６に近づくにつれて幅が広くなる形状であってもよい。
【００２０】
支持突起の数は、３つには限定されず、２つであってもよく、４つ以上であってもよい。
この例では、平面視での各々の支持突起３４の軸周りの間隔は等間隔である。各々の支持突起の軸周りの間隔が等間隔になっていることで、より安定して刷掃体を支持することができる。なお、平面視での各々の支持突起の軸周りの間隔は、等間隔になっていなくてもよい。
【００２１】
刷掃体嵌合部２８には、外壁３２の内側における凸部３０上に円柱状の刷掃体１２が挿入される。そして、刷掃体１２の外周面に３つの支持突起３４が当接し、それら支持突起３４によって刷掃体１２が外壁３２の内側で支持される。
【００２２】
刷掃体１２と外壁３２における支持突起３４よりも上側の部分との間には隙間が形成されている。該隙間を利用することで、イオンを含む溶液を刷掃体１２の下端部まで充分に含浸させることが容易になり、通電効率が向上する。
また、刷掃体１２の下端と凸部３０の上面との間には隙間が形成されていることが好ましい。これにより、イオンを含む溶液を、切欠部３６から該隙間を通じて第１の導電性部材に接触させることが容易になり、通電効率が向上する。
【００２３】
このように、刷掃体１２は、ハンドル本体１０の先端部に形成された刷掃体嵌合部２８に嵌め込まれることで、ハンドル本体１０の先端部に取り付けられている。また、刷掃体１２は、刷掃体嵌合部２８に取り付けられた状態において、外壁３２の先端よりも突き出ている。すなわち、刷掃体１２は、ハンドル本体１０の先端から突出している。
この例では、刷掃体１２は刷掃体嵌合部２８に着脱自在に取り付けられている。本発明では、このように、刷掃体が着脱自在になっていることが好ましい。刷掃体のみを着脱できる態様であれば、継続使用する際に任意のタイミングで刷掃体を交換することで、より優れた衛生性を確保できる。
【００２４】
刷掃体としては、イオンを含む溶液を使用したときに、第１の導電性部材１４まで含浸されやすい多孔質体を使用できる。刷掃体にイオンを含む溶液が含浸されたものは導電体であり、第２の導電性部材を介して通電することで、刷掃体先端までイオンが移動できる。該多孔質体としては、特に限定されず、例えば、フェルトや合成繊維を成形した成形体、連続気泡を有する発泡成形体等が挙げられる。
【００２５】
刷掃体１２の形状は、円柱状である。なお、刷掃体の形状は、円柱状には限定されず、例えば、四角柱状等であってもよい。
刷掃体の長さは、特に限定されず、イオンを含む溶液の含浸性、通電効率、強度、口腔内の清掃性等を考慮して適宜設定できる。
【００２６】
この例では、把持部２４に対して駆動部２６が前方に屈曲しているハンドル本体１０の先端部に刷掃体１２が取り付けられていることで、刷掃体１２の先端面１２ａも把持部２４の軸線方向Ｐに対して駆動部２６が傾斜している方向に傾斜している。すなわち、この例では、刷掃体１２の先端面１２ａは前方に傾斜している。
【００２７】
偏心モータ１８の回転軸Ｌと刷掃体１２の先端面１２ａとのなす角度θ（図１、図３）は、２０°≦θ≦９０°が好ましく、３０°≦θ≦９０°がより好ましく、４５°≦θ≦９０°がさらに好ましい。角度θが９０°に近づくほど、偏心モータ１８の振動方向が刷掃体１２における先端面１２ａの面方向に近づくため、刷掃体１２の先端面１２ａを歯面に擦りつけて清掃する際に偏心モータによる振動の利用効率が高くなる。そのため、歯面の汚れをより効率良く除去することができる。
角度φと角度θとの関係は、５０°≦（φ−θ）≦１５０°が好ましい。
【００２８】
刷掃体を形成する材料としては、特に限定されず、歯面の清掃に適した硬さを有する多孔質体が得られやすい点から、アクリル系樹脂、ポリエステル系樹脂等が好ましい。
刷掃体を形成する材料としては、１種を単独で使用してもよく、２種以上を組み合わせて使用してもよい。
【００２９】
この例の第１の導電性部材１４は、導電性を有する芯棒である。
この例では、第１の導電性部材１４は、先端部が刷掃体嵌合部２８内で凸部３０の上面から突出し、それ以外の部分が駆動部２６内に収容されている。また、第１の導電性部材１４における凸部３０から突出した先端部は、刷掃体１２の下端部に挿入されている。これにより、第１の導電性部材１４と刷掃体１２とが接続されている。
【００３０】
第１の導電性部材１４は、刷掃体１２に挿入された状態で、その先端が刷掃体１２の先端面１２ａに露出しないようになっている。このように、第１の導電性部材１４は、刷掃体１２の先端面１２ａよりも下方に位置している。
【００３１】
第１の導電性部材を形成する材料としては、導電性を有する材料であればよく、例えば、金属（ステンレス鋼等）、導電性樹脂等が挙げられる。
第１の導電性部材を形成する材料としては、１種を単独で使用してもよく、２種以上を組み合わせて使用してもよい。
【００３２】
第２の導電性部材１６は、ハンドル本体１０における把持部２４に設けられている。また、第２の導電性部材１６は、一部が把持部２４の側面に露出している。
第２の導電性部材の形状としては、露出部分の面積をある程度確保しやすく、使用者が把持部を把持したときに第２の導電性部材に手が触れやすくなる点から、ハンドル本体の側面形状に合わせて湾曲又は屈曲させた平板状であることが好ましい。なお、第２の導電性部材の形状は、本発明の効果を損なわない範囲であれば、このような平板状には限定されない。
【００３３】
第２の導電性部材を形成する材料としては、導電性を有する材料であればよく、例えば、第１の導電性部材を形成する材料として挙げたものと同じものが挙げられる。
第２の導電性部材を形成する材料としては、１種を単独で使用してもよく、２種以上を組み合わせて使用してもよい。
【００３４】
偏心モータ１８は、ハンドル本体１０における駆動部２６に内蔵されている。偏心モータ１８が駆動することで、ハンドル本体１０及びハンドル本体１０に取り付けられた刷掃体１２を振動させることができる。
偏心モータとしては、ハンドル本体に内蔵できるものであれば特に限定されず、公知の偏心モータを採用できる。
【００３５】
電源２０は、この例ではハンドル本体１０の把持部２４内に収容されている。
電源２０としては、特に限定されず、例えば、電池等が挙げられる。なお、電源として充電式電池を用いる場合には、ハンドル本体の後端部等に公知の充電機構が設けられる。
【００３６】
電源２０と偏心モータ１８とは配線３８によって電気的に接続されており、電源２０から偏心モータに給電できるようになっている。また、配線３８における電源２０と偏心モータ１８の間にはスイッチ２２が設けられている。スイッチ２２は一部が把持部２４の側面に露出しており、偏心モータ１８の駆動のＯＮ／ＯＦＦを操作できるようになっている。
【００３７】
ハンドル本体１０内では、第１の導電性部材１４と電源２０の負極とが配線４０によって電気的に接続されている。また、第２の導電性部材１６と電源２０の正極とが配線４２によって電気的に接続されている。これにより、イオンを含む溶液を刷掃体１２に含浸させた状態で、第２の導電性部材１６に触れるようにハンドル本体１０の把持部２４を把持し、刷掃体１２を口腔内に挿入したときに、人体及び刷掃体１２に含浸された溶液を介して第１の導電性部材１４と第２の導電性部材１６の間に微弱電流が流れるようになっている。
【００３８】
イオンを含む溶液としては、この例のように第１の導電性部材が電源の負極と接続される場合には、縮合リン酸、フッ化化合物及びアスコルビン酸ナトリウムからなる群から選ばれる少なくとも１種のアニオン性の薬用成分を含む薬液が好ましい。該薬液に含まれるアニオン性の薬用成分を利用することで、ステインの除去効率や再石灰化効果、耐酸性、抗酸化作用を高めることができる。
フッ化化合物としては、例えば、フッ化ナトリウム、フッ化カリウム、フッ化第１錫、フッ化ストロンチウム、モノフルオロリン酸ナトリウム等が挙げられる。
【００３９】
また、イオンを含む溶液としては、第１の導電性部材が電源の正極と接続される場合には、乳酸アルミニウム、塩化セチルピリジニウム等の第４級アンモニウムからなる群から選ばれる少なくとも１種のカチオン性の薬用成分を含む薬液が好ましい。これにより、象牙質細管封鎖効果や殺菌剤の浸透を高めることができ、口腔内をより良好にケアすることができる。
【００４０】
（作用機序）
以下、口腔内清掃用具１の使用方法の一例を示して作用機序について説明する。
口腔内清掃用具１を使用する際には、イオンを含む溶液として、アニオン性の薬用成分を含む薬液を使用する。まず、必要に応じて、ハンドル本体１０の刷掃体嵌合部２８に刷掃体１２を嵌め込むか、又は刷掃体１２を新しいものに交換した後、薬液を刷掃体１２全体に含浸させる。口腔内清掃用具１の刷掃体嵌合部２８においては、刷掃体１２と外壁３２における支持突起３４よりも上側の部分との間に隙間が形成され、さらに外壁３２に切欠部３６が形成されている。該隙間と切欠部３６を利用することで、薬液を容易に刷掃体１２の下端部まで充分に含浸させて第１の導電性部材１４に接触させることができるため、通電効率が向上する。また、装着した刷掃体１２の下端と凸部３０の上面との間に隙間が形成されていれば、切欠部３６から該隙間を通じて薬液を第１の導電性部材に充分に接触させることがさらに容易になる。
また、口腔内清掃用具１においては、刷掃体１２の下端部まで薬液が含浸されているかどうかを切欠部３６から目視で容易に確認することができる。
【００４１】
次いで、スイッチ２２をＯＮにして偏心モータ１８を駆動させ、口腔内清掃用具１を振動させる。そして、第２の導電性部材１６に手が触れるようにハンドル本体１０における把持部２４を把持し、刷掃体１２を口腔内に挿入して、刷掃体１２の先端面１２ａを歯面に接触させる。振動している刷掃体１２が歯面に擦りつけられることで、その物理的作用によって歯面に付着したステイン等の汚れが除去される。口腔内清掃用具１においては、第１の導電性部材１４が刷掃体１２の先端面１２ａに露出せず、刷掃体１２の先端面１２ａよりも下方に位置している。そのため、歯面に第１の導電性部材１４が接触して歯面が損傷することを防止できる。
【００４２】
また、口腔内清掃用具１においては、第２の導電性部材１６に手が触れた状態で刷掃体１２が口腔内に触れることで、人体及び刷掃体１２に含浸された薬液を介して、第１の導電性部材１４と第２の導電性部材１６の間に微弱電流が流れる。このように微弱電流が流れると、刷掃体１２に含浸された薬液中のアニオン性の薬用成分が静電反発によって先端面１２ａへと移動し、歯面へと供給される。これにより、アニオン性の薬用成分によって歯面に付着したステインの分解や剥離が促進され、ステインの除去効率がより高くなる。
【００４３】
（製造方法）
口腔内清掃用具１の製造方法は、特に限定されない。例えば、射出成形、インサート成形等の公知の方法を利用して、第１の導電性部材１４、第２の導電性部材１６等の各部材が備えられたハンドル本体１０を製造することができる。また、刷掃体１２は公知の成形方法で製造することができる。
【００４４】
以上説明したように、本発明の口腔内清掃用具においては、刷掃体にイオンを含む溶液を含浸し、使用時に人体を介して通電することで、該イオンを利用して口腔内を良好にケアすることができる。また、第１の導電性部材が刷掃体の先端面より下方に位置するため、口腔内をケアする際に第１の導電性部材によって口腔内が傷つけられることも抑制できる。
【００４５】
なお、本発明の口腔内清掃用具は、前記した口腔内清掃用具１には限定されない。
例えば、口腔内清掃用具１では、第１の導電性部材と接続される電源の第１の電極が負極であり、第２の導電性部材と接続される電源の第２の電極が正極であったが、第１の電極が正極で第２の電極が負極であってもよい。この態様においては、刷掃体に含浸させるイオンを含む溶液として、カチオン性の薬用成分を含む薬液を使用する。この場合、使用時に第１の導電性部材と第２の導電性部材の間で人体を介して通電したときに、薬液中のカチオン性の薬用成分が刷掃体から歯牙や歯肉へと効率的に供給されて吸収される。そのため、口腔内を傷つけることを抑制しつつ、口腔内を良好にケアすることができる。
【００４６】
本発明の口腔内清掃用具は、スイッチを備えないものであってもよい。例えば、本発明の口腔内清掃用具は、図４に例示した口腔内清掃用具２であってもよい。図４における図１と同じ部分には同符号を付して説明を省略する。
口腔内清掃用具２は、スイッチ２２及び配線３８、４０を有さず、電源２０の負極と偏心モータ１８とが配線４４で電気的に接続され、偏心モータ１８と第１の導電性部材１４とが配線４６で電気的に接続されている以外は、口腔内清掃用具１と同じである。口腔内清掃用具２においては、第１の導電性部材１４は電源２０の負極と電気的に接続されている。
【００４７】
口腔内清掃用具２の使用時には、口腔内清掃用具１と同様に、刷掃体１２に薬液を含浸させた後に、第２の導電性部材１６に手が触れるようにハンドル本体１０における把持部２４を把持し、刷掃体１２を口腔内に挿入して、刷掃体１２の先端面１２ａを歯面に接触させる。これにより、人体及び刷掃体１２に含浸された薬液を介して、第１の導電性部材１４と第２の導電性部材１６の間に電流が流れ、偏心モータ１８が駆動して刷掃体１２が振動する。また、刷掃体１２に含浸された薬液中のアニオン性の薬用成分が静電反発によって先端面１２ａへと移動し、歯面へと供給される。これらのことから、口腔内清掃用具２においても、口腔内清掃用具１の場合と同様に、口腔内を傷つけることを抑制しつつ、口腔内を良好にケアすることができる。
【００４８】
本発明の口腔内清掃用具は、刷掃体嵌合部２８の代わりに、図５に例示した刷掃体嵌合部２８Ａを備える口腔内清掃用具であってもよい。図５における図２と同じ部分には同符号を付して説明を省略する。
刷掃体嵌合部２８Ａは、外壁３２の代わりに円筒状の外壁３２Ａを備え、中心軸周りに間隔を開けて外壁３２Ａの内面から突出する６つの支持突起３４Ａが設けられている以外は、刷掃体嵌合部２８と同じである。支持突起３４Ａは、外壁３２Ａの上端まで形成されている。
【００４９】
刷掃体嵌合部２８Ａを備える口腔内清掃用具においては、外壁３２Ａ内における隣り合う支持突起３４Ａ間の隙間を利用することで、薬液を容易に刷掃体１２の下端部まで含浸させて第１の導電性部材に接触させることができるため、通電効率が向上する。
【００５０】
本発明の口腔内清掃用具における第１の導電性部材は、棒状には限定されず、例えば、平板状であってもよく、底面部と該底面部の外縁から全周にわたって立ち上がる側面部とを備える容器状であってもよい。例えば、本発明の口腔内清掃用具は、図６（Ａ）及び図６（Ｂ）に例示した第１の導電性部材１４Ａを備える口腔内清掃用具３であってもよい。図６（Ｂ）における図３、図５と同じ部分には同符号を付して説明を省略する。
第１の導電性部材１４Ａは、円板状の底面部５０と、底面部５０の外縁から全周にわたって立ち上がる側面部５２とを備える容器状の導電性部材である。
【００５１】
口腔内清掃用具３は、第１の導電性部材１４Ａが設けられた刷掃体嵌合部２８Ｂを備える以外は、口腔内清掃用具１と同じである。
刷掃体嵌合部２８Ｂは、外壁３２の代わりに円筒状の外壁３２Ａを備え、中心軸周りに間隔を開けて外壁３２Ａの内面から突出する複数の支持突起３４Ｂが設けられている以外は、刷掃体嵌合部２８と同じである。支持突起３４Ｂは、外壁３２Ａの高さ方向の中央部に形成されている。駆動部２６の先端面における外壁３２Ａの内側には平面視形状が円形状の凹部５４が形成され、該凹部５４に第１の導電性部材１４Ａが嵌め込まれている。第１の導電性部材１４Ａは、口腔内清掃用具１と同様に配線４０によって電源の負極と電気的に接続されている。
刷掃体１２が刷掃体嵌合部２８Ｂ内に挿入され、第１の導電性部材１４Ａ内に嵌め込まれて、支持突起３４Ｂによって支持されることで、刷掃体１２がハンドル本体１０に着脱自在に取り付けられる。第１の導電性部材１４Ａは、刷掃体１２の先端面１２ａよりも下方に位置している。
【００５２】
口腔内清掃用具３においても、刷掃体１２にイオンを含む溶液を含浸させることで、該溶液が第１の導電性部材１４Ａと接触し、口腔内清掃用具１の場合と同様に使用時に人体を介して通電させることができる。そのため、口腔内清掃用具１の場合と同様に、口腔内を傷つけることを抑制しつつ、口腔内を良好にケアすることができる。
【００５３】
本発明の口腔内清掃用具は、刷掃体嵌合部に刷掃体を嵌合する態様には限定されず、例えば、ハンドル本体の先端から棒状の第１の導電性部材の先端部を突出させ、該先端部を刷掃体の下端部に突き刺して取り付ける態様としてもよい。
【符号の説明】
【００５４】
１〜３  口腔内清掃用具
１０  ハンドル本体
１２  刷掃体
１２ａ  先端面
１４、１４Ａ  第１の導電性部材
１６  第２の導電性部材
１８  偏心モータ
２０  電源
２２  スイッチ
２４  把持部
２６  駆動部
２８、２８Ａ、２８Ｂ  刷掃体嵌合部
３０  凸部
３２、３２Ａ  外壁
３４、３４Ａ、３４Ｂ  支持突起
３６  切欠部
３８、４０、４２、４４、４６  配線
【図１】
2017042550.tif 000003
【図２】
2017042550.tif 000004
【図３】
2017042550.tif 000005
【図４】
2017042550.tif 000006
【図５】
2017042550.tif 000007
【図６】
2017042550.tif 000008